(57)【要約】【課題】色変換に際し、修正したい色を期待の修正値に修正し、かつ修正したくない色は影響を小さくすることを可能にする。【解決手段】色変換装置は、対象画像に対してプロファイルを適用して色変換を行う色変換装置であって、対象画像において修正を行う色の指定を受けて、プロファイルの指定された色を調整するとともに、指定された色の周囲の調整量を対象画像に応じて変更するプロファイル変更部を備える。【選択図】図１
2020039024.tif 000002
【特許請求の範囲】
【請求項１】
対象画像に対してプロファイルを適用して色変換を行う色変換装置であって、
対象画像において修正を行う色の指定を受けて、プロファイルの指定された色を調整するとともに、指定された色の周囲の調整量を対象画像に応じて変更するプロファイル変更部を備える色変換装置。
【請求項２】
対象画像において修正を行う色を指定する修正色指定部を備える請求項１記載の色変換装置。
【請求項３】
前記プロファイル変更部は、修正しない非修正色の指定を受けて、修正色と否修正色が修正の影響範囲として競合するかの有無を判定し、競合すると判定する場合は、修正したい色を補間するグリッドに与える調整量を小さくすることを特徴とする請求項１または２に記載の色変換装置。
【請求項４】
前記プロファイル変更部は、修正しない非修正色の指定を受けて、修正色と否修正色が修正の影響範囲として競合するかの有無を判定し、競合すると判定する場合は、色変換に用いるプロファイルのグリッド数を調整してから、修正量を付加することを特徴とする請求項１または２に記載の色変換装置。
【請求項５】
前記プロファイル変更部は、修正色の位置に第１グリッドを追加し、第１グリッドに修正量を付加し、否修正色の第２グリッドを追加し、第２グリッドは元の値を保持することで指定された色に影響範囲を狭めてプロファイルを修正することを特徴とする請求項３または４に記載の色変換装置。
【請求項６】
前記プロファイル変更部は、修正色を囲む位置に第１グリッド群を追加し、該第１グリッド群に修正量を付加し、さらに、否修正色の第２グリッド群を追加し、第２グリッド群は元の値を保持することで指定された色に影響範囲を狭めてプロファイルを修正する請求項３〜５のいずれか１項に記載の色変換装置。
【請求項７】
前記プロファイル変更部は、否修正色の付加情報に応じて、否修正色としてグリッドを追加するか否かを判定することを特徴とする請求項５または６に記載の色変換装置。
【請求項８】
前記否修正色指定部は、前記付加情報として前記否修正色の重要度を設定でき、
前記プロファイル変更部は、前記重要度に応じて、否修正色としてグリッドを追加するか否かを判定することを特徴とする請求項７記載の色変換装置。
【請求項９】
否修正色のグリッドを追加するか否かを判定する修正量の閾値を設定する閾値設定部を備え、
前記プロファイル変換部は、修正色の調整量が閾値以内であった場合は、指定された否修正色または判定された否修正色のグリッドを追加しないことを特徴とする請求項４〜８のいずれか１項に記載の色変換装置。
【請求項１０】
修正しない非修正色を指定する否修正色指定部を備えることを特徴とする請求項１〜９のいずれか１項に記載の色変換装置。
【請求項１１】
前記プロファイル変更部は、画像内に使用されている色を確認し、その結果に応じて否修正色を決定することを特徴とする請求項１〜１０のいずれか１項に記載の色変換装置。
【請求項１２】
前記プロファイル変更部は、画像内の色の確認に際し、
画像内に使用されている色の分布を分析し、出現回数が多い色が、修正色の影響範囲に含まれているか否かを確認し、含まれている場合は、該色を否修正色と判定する請求項１１記載の色変換装置。
【請求項１３】
前記プロファイル変更部は、画像内の色の確認に際し、
画像内に使用されているオブジェクトの面積を確認し、面積が大きいオブジェクトに使用されている色が、修正色の影響範囲に含まれているか否かを確認し、含まれている場合は、該色を否修正色と判定する請求項１１または１２に記載の色変換装置。
【請求項１４】
前記プロファイル変更部は、画像内の色の確認に際し、
画像内に使用されている色の出現箇所を確認し、出現箇所がグラデーション内や、値の近い色が密集している領域に使用されているか色が修正色の影響範囲に含まれているか否かを確認し、含まれている場合は、該色を否修正色と判定する請求項１１〜１３のいずれか１項に記載の色変換装置。
【請求項１５】
前記プロファイル変更部は、画像内の色の確認に際し、
プロファイルににごり除去が設定されている場合、単色が修正色の影響範囲に含まれているか否かを確認し、含まれている場合は、該色を否修正色として判定する請求項１１〜１４のいずれか１項に記載の色変換装置。
【請求項１６】
調整する画像を表示する表示部を備えることを特徴とする請求項１〜１５のいずれか１項に記載の色変換装置。
【請求項１７】
対象画像に対してプロファイルを適用して色変換を行う色変換方法であって、
対象画像において修正を行う色を指定し、
プロファイルの指定された色を調整するとともに、指定された色の周囲の調整量を対象画像に応じて変更することを特徴とする色変換方法。
【請求項１８】
修正しない非修正色を指定し、
修正色と否修正色が修正の影響範囲として競合するかの有無を判定し、競合すると判定する場合は、修正したい色を補間するグリッドに与える調整量を小さくすることを特徴とする請求項１７記載の色変換方法。
【請求項１９】
修正しない非修正色を指定し、
修正色と否修正色が修正の影響範囲として競合するかの有無を判定し、競合すると判定する場合は、色変換に用いるプロファイルのグリッド数を調整してから、修正量を付加することを特徴とする請求項１７または１８に記載の色変換方法。
【請求項２０】
対象画像に対してプロファイルを適用して色変換を行う色変換装置におけるプロファイル変更部で実行される色変換プログラムであって、
前記プログラムは、前記プロファイル変更部に、プロファイルの指定された色を調整するとともに、指定された色の周囲の調整量を対象画像に応じて変更するステップを実行させることを特徴とする色変換プログラム。
【請求項２１】
前記プログラムは、前記プロファイル変更部に、さらに、修正色と否修正色が修正の影響範囲として競合するかの有無を判定し、競合すると判定する場合は、修正したい色を補間するグリッドに与える調整量を小さくするステップを実行させることを特徴とする請求項２０記載の色変換プログラム。
【請求項２２】
前記プログラムは、前記プロファイル変更部に、修正色と否修正色が修正の影響範囲として競合するかの有無を判定し、競合すると判定する場合は、色変換に用いるプロファイルのグリッド数を調整してから、修正量を付加するステップを実行させることを特徴とする請求項２０または２１に記載の色変換プログラム。
【発明の詳細な説明】
【技術分野】
【０００１】
この発明は、対象画像に対してプロファイルを適用して色変換を行う色変換装置、色変換方法および色変換プログラムに関する。
【背景技術】
【０００２】
印刷画像や表示部への表示などに際し色調整を行う場合、画像内の色を指定して修正したい場合がある。例えば、ＩＣＣ（インターナショナル・カラー・コンソーシアム）プロファイルを使った色変換を行う場合、上記のように指定色を修正するには、ＩＣＣプロファイルのグリッドの内、指定色を囲むグリッドについて修正量を与えることにより指定色を修正することができる。
しかし、上記のように修正する場合、修正したくない色まで修正の影響範囲が及んでしまうことがあり、期待通りに修正できないという課題がある。
また、特定色の修正方法としては、スポットカラー機能があるが、スポットカラーを使用する場合は、ＤＴＰ（Desk Top Publishing）アプリケーション（Ｐｈｏｔｏｓｈｏｐ（商標）など）で、画像内にスポットカラー情報を埋め込む必要があり、一度出力した後にＤＴＰに戻って色を合わせることが必要であり、非常に手間がかかっている。
【０００３】
例えば、特許文献１では、調整対象の色を補間するグリッドに、調整したい量とほぼ同等の調整量を与えることで出力値を調整する方法が開示されている。
【先行技術文献】
【特許文献】
【０００４】
【特許文献１】特開２０１０−１１４５３２号公報
【発明の概要】
【発明が解決しようとする課題】
【０００５】
しかし、特許文献１で提案されている方法では、周囲のグリッドに対しての影響方法までは記載されているが、修正したくない色を保持する方法やピンポイントで修正する方法については言及されておらず、修正色が修正したくない色と競合した場合に、適切に修正できないという課題がある。
【０００６】
本発明は、上記事情を背景としてなされたものであり、修正したい色を期待の修正値に修正し、かつ修正したくない色は影響を小さくすることを可能にする色変換装置、色変換方法および色変換プログラムを提供することを目的とする。
【課題を解決するための手段】
【０００７】
すなわち、本発明の色変換装置のうち、第１の形態は、対象画像に対してプロファイルを適用して色変換を行う色変換装置であって、
対象画像において修正を行う色の指定を受けて、プロファイルの指定された色を調整するとともに、指定された色の周囲の調整量を対象画像に応じて変更するプロファイル変更部を備える。
【０００８】
他の形態の色変換装置の発明は、前記形態の発明において、対象画像において修正を行う色を指定する修正色指定部を備える。
【０００９】
他の形態の色変換装置の発明は、前記形態の発明において、前記プロファイル変更部は、修正しない非修正色の指定を受けて、修正色と否修正色が修正の影響範囲として競合するかの有無を判定し、競合すると判定する場合は、修正したい色を補間するグリッドに与える調整量を小さくすることを特徴とする。
【００１０】
他の形態の色変換装置の発明は、前記形態の発明において、前記プロファイル変更部は、修正しない非修正色の指定を受けて、修正色と否修正色が修正の影響範囲として競合するかの有無を判定し、競合すると判定する場合は、色変換に用いるプロファイルのグリッド数を調整してから、修正量を付加することを特徴とする。
【００１１】
他の形態の色変換装置の発明は、前記形態の発明において、前記プロファイル変更部は、修正色の位置に第１グリッドを追加し、第１グリッドに修正量を付加し、否修正色の第２グリッドを追加し、第２グリッドは元の値を保持することで指定された色に影響範囲を狭めてプロファイルを修正することを特徴とする。
【００１２】
他の形態の色変換装置の発明は、前記形態の発明において、前記プロファイル変更部は、修正色を囲む位置に第１グリッド群を追加し、該第１グリッド群に修正量を付加し、さらに、否修正色の第２グリッド群を追加し、第２グリッド群は元の値を保持することで指定された色に影響範囲を狭めてプロファイルを修正する。
【００１３】
他の形態の色変換装置の発明は、前記形態の発明において、前記プロファイル変更部は、否修正色の付加情報に応じて、否修正色としてグリッドを追加するか否かを判定することを特徴とする。
【００１４】
他の形態の色変換装置の発明は、前記形態の発明において、前記否修正色指定部は、前記付加情報として前記否修正色の重要度を設定でき、
前記プロファイル変更部は、前記重要度に応じて、否修正色としてグリッドを追加するか否かを判定することを特徴とする。
【００１５】
他の形態の色変換装置の発明は、前記形態の発明において、否修正色のグリッドを追加するか否かを判定する修正量の閾値を設定する閾値設定部を備え、
前記プロファイル変換部は、修正色の調整量が閾値以内であった場合は、指定された否修正色または判定された否修正色のグリッドを追加しないことを特徴とする。
【００１６】
他の形態の色変換装置の発明は、前記形態の発明において、修正しない非修正色を指定する否修正色指定部を備えることを特徴とする。
【００１７】
他の形態の色変換装置の発明は、前記形態の発明において、前記プロファイル変更部は、画像内の色の確認に際し、
画像内に使用されている色の分布を分析し、出現回数が多い色が、修正色の影響範囲に含まれているか否かを確認し、含まれている場合は、該色を否修正色と判定する。
【００１８】
他の形態の色変換装置の発明は、前記形態の発明において、前記プロファイル変更部は、画像内の色の確認に際し、画像内に使用されているオブジェクトの面積を確認し、面積が大きいオブジェクトに使用されている色が、修正色の影響範囲に含まれているか否かを確認し、含まれている場合は、該色を否修正色と判定する。
【００１９】
他の形態の色変換装置の発明は、前記形態の発明において、前記プロファイル変更部は、画像内の色の確認に際し、画像内に使用されている色の出現箇所を確認し、出現箇所がグラデーション内や、値の近い色が密集している領域に使用されているか色が修正色の影響範囲に含まれているか否かを確認し、含まれている場合は、該色を否修正色と判定する。
【００２０】
他の形態の色変換装置の発明は、前記形態の発明において、前記プロファイル変更部は、画像内の色の確認に際し、プロファイルににごり除去が設定されている場合、単色が修正色の影響範囲に含まれているか否かを確認し、含まれている場合は、該色を否修正色として判定する。
【００２１】
他の形態の色変換装置の発明は、前記形態の発明において、調整する画像を表示する表示部を備えることを特徴とする。
【００２２】
本発明の色変換方法のうち、第１の形態は、対象画像に対してプロファイルを適用して色変換を行う色変換方法であって、
対象画像において修正を行う色を指定し、プロファイルの指定された色を調整するとともに、指定された色の周囲の調整量を対象画像に応じて変更することを特徴とする。
【００２３】
他の形態の色変換方法の発明は、前記形態の発明において、修正しない非修正色を指定し、修正色と否修正色が修正の影響範囲として競合するかの有無を判定し、競合すると判定する場合は、修正したい色を補間するグリッドに与える調整量を小さくすることを特徴とする。
【００２４】
他の形態の色変換方法の発明は、前記形態の発明において、修正しない非修正色を指定し、修正色と否修正色が修正の影響範囲として競合するかの有無を判定し、競合すると判定する場合は、色変換に用いるプロファイルのグリッド数を調整してから、修正量を付加することを特徴とする。
【００２５】
本発明の色変換プログラムのうち、第１の形態は、対象画像に対してプロファイルを適用して色変換を行う色変換装置におけるプロファイル変更部で実行される色変換プログラムであって、
前記プログラムは、前記プロファイル変更部に、プロファイルの指定された色を調整するとともに、指定された色の周囲の調整量を対象画像に応じて変更するステップを実行させることを特徴とする。
【００２６】
他の形態の色変換プログラムの発明は、前記形態の発明において、前記プログラムは、前記プロファイル変更部に、さらに、修正色と否修正色が修正の影響範囲として競合するかの有無を判定し、競合すると判定する場合は、修正したい色を補間するグリッドに与える調整量を小さくするステップを実行させることを特徴とする。
【００２７】
他の形態の色変換プログラムの発明は、前記形態の発明において、前記プログラムは、前記プロファイル変更部に、修正色と否修正色が修正の影響範囲として競合するかの有無を判定し、競合すると判定する場合は、色変換に用いるプロファイルのグリッド数を調整してから、修正量を付加するステップを実行させることを特徴とする。
【発明の効果】
【００２８】
本発明によれば、修正したい色を期待の修正値に修正し、修正したくない色に対しては影響を小さくする、または修正しないという効果が得られる。
【図面の簡単な説明】
【００２９】
【図１】本発明の一実施形態の色変換装置の制御ブロックを示す図である。
【図２】他の実施形態の色変換装置の制御ブロックを示す図である。
【図３】修正を手動で行う調整画面を示す図である。
【図４】見本登録で修正を行う調整画面を示す図である。
【図５】修正色と否修正色の競合における第１のパターンを示す図である。
【図６】修正色と否修正色の競合における第２のパターンを示す図である。
【図７】修正色と否修正色の競合における第３のパターンを示す図である。
【図８】修正色と否修正色の競合に際し、修正量を小さくする手順を示すフローチャートである。
【図９】修正量を小さくする具体例を示す図である。
【図１０】修正色と否修正色の競合に際し、グリッド数を調整する手順を示すフローチャートである。
【図１１】修正色と否修正色にグリッドを追加する例を示す図である。
【図１２】グリッド全体にスムージングを行う例を示す図である。
【図１３】修正色と否修正色の競合に際し、グリッド群を追加する手順を示すフローチャートである。
【図１４】修正色を補間するグリッド群と、否修正色を補間するグリッド群を追加する例を示す図である。
【図１５】否修正色に対する付加情報によってグリッドの追加有無を決定する手順を示すフローチャートである。
【図１６】影響可否の閾値に応じて修正を行う手順を示すフローチャートである。
【図１７】画像内の情報から否修正色を決定する手順を示すフローチャートである。
【発明を実施するための形態】
【００３０】
以下に、本発明の一実施形態を説明する。
図１に示す色変換装置１は、主要な構成として、操作部１０とプロファイル変更部２０とを有している。
操作部１０は、オペレータの操作入力を受け付ける装置であり、表示部を備えている。表示部としては、調整画像表示部１１を有しており、調整を行う画像を表示する。表示部は、ＬＣＤなどを用いることができるが、本発明としては特定の装置に限定されない。
【００３１】
操作部１０には、修正色指定部１２と、非修正色指定部１３とを有している。修正色と否修正色は、元画像から取得することができる。また、修正色はスポットカラー(特色)であってもよい。例えばコーポレートカラーやＤＩＣ（商標）、ＰＡＮＴＯＮＥ（商標）など特色で定義された色でもよい。否修正色も同様である。
修正色指定部１２は、対象画像において修正を行う色の指定を行う。修正色指定部１２は、マウスやタブレットなどを用いてもよく、また、調整画像表示部１１をタッチパネルにして画面上から指定操作を行えるようにしてもよい。
【００３２】
否修正色指定部１３は、修正色指定部１２と同様に、マウス、タブレットなどを用いてもよく、また、調整画像表示部１１をタッチパネルにして画面上から指定操作を行えるようにしてもよい。さらに、否修正色指定部では、否修正色の重要度を設定できるようにしてもよく、異なる否修正色で異なる重要度を設定できるようにしてもよい。
上記した各種の条件としては、修正色と否修正色が修正の影響範囲として競合するかの有無を判定するかを条件の一つにすることができる。
【００３３】
プロファイル変更部２０では、競合判定部２１、調整計算部２２、否修正色決定部２３を有している。
プロファイル変更部２０は、ＣＰＵとＣＰＵ上で動作するプログラムや、ＲＯＭ、ＲＡＭ、その他の不揮発メモリで構成される記憶部などで構成される。プログラムには、本発明の色変換プログラムが含まれている。プロファイル変更部２０は、操作部１０によって指定された修正色や否修正色の指定結果を取得する。
【００３４】
競合判定部２１は、プロファイル変更部２０の一部に含まれており、対象画像における修正色の修正によって否修正色が影響範囲として競合するかの有無の判定を行う。競合するかは、影響の有無の他に、影響の程度を予め閾値として定めておき、閾値を超えるか否かによって競合があるかの判定を行うようにしてもよい。
【００３５】
調整計算部２２は、指定色の周囲に対する調整量を設定する。この調整量は、競合判定部２１で判定された指定色の周囲に対する調整として設定される。この際に、否修正色指定部で重要度の設定がされている色や領域では、その設定を考慮して、重要度の高い範囲では、修正指定色の影響がないか、小さくなるように調整の程度を設定することができる。
調整量は、手動で入力するものでもよく、ユーザーが登録した見本データとの色差分から自動で計算されるものでもよい。
【００３６】
否修正色決定部２３は、修正指定色に基づいて自動的に否修正色が決定、すなわち指定される。その際に、否修正色指定部で重要度が設定されている場合、重要度を考慮して否修正色を決定するようにしてもよい。調整計算部２２では、否修正色決定部２３の決定に応じて調整計算を行うことができる。なお、操作部１０の否修正色指定部１３で指定が行われている場合、否修正色決定部２３による決定を行わないものとしてもよい。
【００３７】
プロファイル変更部２０では、調整計算部２２で計算された調整量に基づいて、プロファイルを変更する。プロファイルとしては、ＩＣＣプロファイルを例示することができるが、本発明におけるプロファイルがＩＣＣプロファイルに限定されるものではない。
【００３８】
色変換装置１は、例えば画像形成装置に組み込まれているものとしてもよく、また、画像形成装置外において設けられているものであってもよく、その場合、サーバや端末に色変換装置を備えるものとしてもよく、独立した装置とするものであってもよい。
上記説明では、色変換装置１は、少なくとも、操作部１０とプロファイル変更部２０とを備えるものとして説明したが、操作部１０を含まず、プロファイル変更部２０を備えるものとして色変換装置が構成されているものであってもよい。
【００３９】
本実施形態では、操作部とプロファイル変更部を持つが、操作部とプロファイル変更部は、同じデバイス内にあってもよいし、ネットワークを介して通信する別のデバイスにあってもよい。
図２は、他の形態における色変換装置２を示している。
この実施形態では、操作部３０とプロファイル変更部４０とが、ネットワーク３を介して通信可能となっている。
操作部３０には、調整画像表示部３１、修正色指定部３２、否修正色指定部３３を備え、プロファイル変更部４０は、競合判定部４１、調整計算部４２、否修正色決定部４３を備えている。各部は、色変換装置１の各部と同様の構成とすることができ、その詳細な説明は省略する。
【００４０】
この実施形態では、操作部３０とプロファイル変更部４０が色変換装置２に含まれるものとしてもよく、操作部３０は色変換装置２に含まれず、プロファイル変更部４０が色変換装置２に含まれるものとしてもよい。
【００４１】
次に、調整画像表示部の一例を図３に基づいて説明する。
図３の調整画像表示部１１０では、対象画像表示部１１００と、修正したい色の情報を表示する修正色情報部１１１０と修正色に対する修正量入力部１１２０を有している。さらに、修正したくない色の情報を表示する否修正色情報部１１３０を有している。調整釦１１４０は押下により調整を実行する。
対象画像表示部１１０では、調整する画像がプレビューで表示され、調整を行った場合、調整された画像が対象画像表示部１１０に表示される。
プレビュー上で指定した色が、修正したい色(修正色)のリスト（修正色情報部１１１０）もしくは修正したくない色(否修正色)のリスト（否修正色情報部１１３０）に表示され、修正量１１２０に基づいて調整することができる。
【００４２】
否修正色は、手動で指定してもよいし、画像から自動で決定されてもよい。
自動の場合は、修正色を指定した位置以外の色を確認し、所定の条件で自動検出する。このとき、否修正色を画像から検索する範囲は、ユーザーが手動で範囲選択してもよい。
調整画像表示部１１０では、修正量を手動で入力して調整を行うことができる。この他に、修正量を自動で行うようにしてもよい。
【００４３】
図４の調整画像表示部１２０では、対象画像表示部１２００と、修正したい色の情報を表示する修正色情報部１２１０と、修正色を設定する見本登録欄１２２０を有している。さらに、修正したくない色の情報を表示する否修正色情報部１２３０を有している。調整釦１２４０は押下により調整を実行する。
対象画像表示部１２０では、調整する画像がプレビューで表示され、調整を行った場合、調整された画像が対象画像表示部１２００に表示される。
プレビュー上で指定した色が、修正したい色(修正色)のリスト（修正色情報部１２１０）もしくは修正したくない色(否修正色)のリスト（否修正色情報部１２３０）に表示される。見本登録では、登録された色の見本を選択することができる。この見本によって修正量が自動的に決定される。
また、図３、４ではＣＭＹＫ値を修正するユーザーインターフェースになっているが、これがＲＧＢやＬ＊ａ＊ｂ＊など別の色空間でもよい。
【００４４】
次に、修正色と否修正色の競合について説明する。
修正色と否修正色が競合するとは、修正色の修正範囲に否修正色が含まれることでありいくつかのパターンがある。
【００４５】
（１）修正色のグリッドが存在しない第１のパターンの場合
修正色を修正するときにはそれを補間するグリッドを修正する必要がある。その場合、同グリッドから補間される色、補間に使用する１つ以上のグリッドが競合している場合は修正が競合する。
図５に示すように、修正色の周囲に競合する色があると、その周囲に、既存のグリッド以外に修正色を補間するグリッドを設ける。補間するグリッドは、既存のグリッドよりも修正色に近い側に設けられる。
【００４６】
（２）修正色のグリッドが存在する第２のパターンの場合
修正色のグリッドを使って否修正色が補間される場合は修正が競合する。
図６に示すように、修正色のグリッドを用いて、競合する色を補間するグリッドを用いる。
【００４７】
（３）修正色の修正範囲が広い第３のパターンの場合
一般的に修正を行う場合はトーンジャンプを回避するために一定の範囲に修正量がかかるように修正する。
手段としてはスムージングや修正色からの距離に応じて重みづけして修正量を付加する。
その範囲内に否修正色が含まれる場合は修正が競合する。
図７で示される例は、距離で重み付けされた修正量を用いている。
【００４８】
次に、修正色と否修正色の競合の有無によって、グリッドの修正量を小さくする手順を図８のフローチャートに基づいて説明する。以下の手順は、プロファイル変更部の制御によって実行することができる。
実際にはＩＣＣプロファイルは多次元のＬＵＴで構成されるが、ここでは１次元で示す。
図６のように、修正色と否修正色が共通のグリッドから補間される場合、グリッドの色を修正した場合、どちらの色も変化してしまう。
このとき、修正色を補間するグリッドに修正量を１００％与えるのではなく、グリッドの間隔、修正色と否修正色の間隔をもとに重みを決定し、修正量を小さくする。
【００４９】
先ず、修正色を決定する（ステップｓ１）。修正色の決定は、修正色指定部により手動で行うことができる。
次いで、否修正色を決定する（ステップｓ２）。否修正色は、否修正色指定部により指定される。否修正色指定部では、手動により否修正色を決定する他、自動で決定されるものであってもよい。
修正色と否修正色を決定した後、修正色と否修正色とが競合しているかを判定する（ステップｓ３）。
【００５０】
修正色と否修正色とが競合していなければ（ステップｓ３、Ｎｏ）、修正色を補間するグリッドに１００％の修正量を与え、処理を終了する。
修正色と否修正色とが競合していれば（ステップｓ３、Ｙｅｓ）、修正色を補間するグリッドに与える修正量を小さくし（ステップｓ４）、処理を終了する。すなわちステップｓ４では、図９に示すように、グリッドの間隔、修正色と否修正色の関係を基に重みを決定し、修正量を小さくする。
【００５１】
例えば、
重み  ＝  最も近いグリッドと否修正色の距離／グリッド間距離
で重みを計算すると否修正色と該グリッドの距離がグリッド間距離に対して５０％であった場合、１／２となる。
【００５２】
次に、修正色と否修正色の競合の際に、グリッド数を調整する手順を図１０のフローチャートに基づいて説明する。以下の手順は、色変換装置の制御により実行することができる。
先ず、修正色を決定する（ステップｓ１０）。修正色の決定は、修正色指定部で行われる。
次いで、否修正色を決定する（ステップｓ１１）。否修正色は、否修正色指定部で行われる。
【００５３】
修正色と否修正色を決定した後、修正色と否修正色とが競合しているかを判定する（ステップｓ１２）。修正色と否修正色とが競合していない場合（ステップｓ１２、Ｎｏ）、修正色を補間するグリッドに１００％の修正量を与え（ステップｓ１３）、処理を終了する。
修正色と否修正色とが競合している場合（ステップｓ１２、Ｙｅｓ）、修正色の位置にグリッドを追加し（ステップｓ１４）、否修正色のグリッドを追加する（ステップｓ１５）。修正色の位置に追加されるグリッドは、本発明における第１グリッドであり、否修正色に追加されるグリッドは、本発明における第２グリッドである。
【００５４】
次いで、追加した修正色のグリッドに１００％の修正量を与えて、処理を終了する。
すなわち、図６のように、競合が発生した場合、具体的には、図１１に示すように、修正色と否修正色のグリッドを追加し、修正色に１００％の修正量を与え、否修正色は現在の値を保持することで、修正色のみを調整する。この形態では、グリッド数の調整は、修正色と否修正色のグリッドを追加することによって行っている。
【００５５】
また、図１２に示すように、修正した色の値は保持したまま、グリッド全体のスムージングを行うことで、周囲のグリッドと値が離れてしまうことによるトーンジャンプを行うことができる。具体的には、スムージングを実施した後に、再度グリッドの値に修正後の値を書き込むことで実現できる。
【００５６】
上記形態では、グリッド数の調整は、修正色と否修正色のグリッドを追加することによって行ったが、修正色と否修正色を補間するグリッドを追加することによって行うものとしてもよい。
【００５７】
以下に、グリッド数の調整を修正色と否修正色を補間するグリッドを追加することにより行う手順を図１３のフローチャートに基づいて説明する。以下の手順は、色変換装置の制御により実行することができる。
【００５８】
先ず、修正色を決定する（ステップｓ２０）。修正色の決定は、修正色指定部により手動で行うことができる。
次いで、否修正色を決定する（ステップｓ２１）。否修正色は、否修正色指定部により指定される。否修正色指定部では、手動により否修正色を決定する他、自動で決定されるものであってもよい。
修正色と否修正色を決定した後、修正色と否修正色とが競合しているかを判定する（ステップｓ２２）。
【００５９】
修正色と否修正色とが競合していなければ（ステップｓ２３、Ｎｏ）、修正色を補間するグリッドに１００％の修正量を与え（ステップｓ２３）、処理を終了する。
修正色と否修正色とが競合していれば（ステップｓ２２、Ｙｅｓ）、修正色を補間するグリッド（囲むグリッド群）を追加し（ステップｓ２４）、否修正色を補間するグリッド（囲むグリッド群）を追加する（ステップｓ２５）。次いで、追加した修正色のグリッド群に１００％の修正量を与え（ステップｓ２６）、処理を終了する。
なお、修正色を補間するグリッドは、本発明における第１グリッド群に相当し、否修正色を補間するグリッドは、本発明における第２グリッド群に相当する。
【００６０】
すなわち、図６のように競合が発生した場合に、修正色を補間するグリッド群と否修正色を補間するグリッド群をそれぞれ追加し、修正色を補間するグリッド群に１００％の修正量を与え、否修正色を補完するグリッド群は現在の値を保持することで、修正色のみ調整する（図１４参照）。
【００６１】
なお、グリッドの追加有無は、否修正色に対する付加情報によって決定することができる。以下に、付加情報が重要度である場合の手順を、図１５のフローチャートに基づいて説明する。以下の手順は、色変換装置の制御により実行することができる。
【００６２】
先ず、修正色を決定する（ステップｓ３０）。修正色の決定は、修正色指定部で行われる。
次いで、否修正色を決定する（ステップｓ３１）、否修正色は、否修正色指定部で行われる。さらに、否修正色の重要度を設定する（ステップｓ３２）。否修正色の重要度は、否修正色指定部で行うことができる。
【００６３】
その後、修正色と否修正色とが競合しているかを判定する（ステップｓ３３）。修正色と否修正色とが競合していない場合（ステップｓ３３、Ｎｏ）、修正色を補間するグリッドに１００％の修正量を与え（ステップｓ３４）、その後、処理を終了する。
修正色と否修正色とが競合している場合（ステップｓ３３、Ｙｅｓ）、修正色の位置にグリッドを追加し（ステップｓ３５）、競合している否修正色の重要度が高いかを判定する（ステップｓ３６）。重要度が高いかは、高い設定の有無でよく、また重要度の数値設定がなされる場合には、閾値を設定しておき、閾値を超えるかで重要度が高いかの判定を行うようにしてもよい。修正色に位置に追加されたグリッドは、本発明における第１グリッドに相当する。
【００６４】
否修正色の重要度が高くない場合（ステップｓ３６、Ｎｏ）、追加した修正色のグリッドに１００％の修正量を与え（ステップｓ３８）、その後、処理を終了する。
否修正色の重要度が高い場合（ステップｓ３６、Ｙｅｓ）、否修正色のグリッドを追加する（ステップｓ３７）。否修正色のグリッドは、本発明における第２のグリッドに相当する。次いで、追加した修正色のグリッドに１００％の修正量を与え（ステップｓ３８）、その後、処理を終了する。
【００６５】
グリッド数を追加しすぎることは、計算コストや階調性の観点から不利になることがあるため、グリッド数の追加数を制限しなければならない場合がある。そのため、指定されたもしくは自動検出された否修正色に対して、重要度を設定する。
例えば、重要度は“高”/“低”を持ち、高が指定された場合は、必ずグリッドを追加して値を保持するが、低の場合はグリッド数の状況に応じて追加を判断することができる。
【００６６】
次に、修正色が与える影響可否の閾値を設定して処理を行う手順を図１６のフローチャートに基づいて説明する。以下の手順は、色変換装置の制御により実行することができる。
【００６７】
先ず、修正色を決定する（ステップｓ４０）。修正色の決定は、修正色指定部で行われる。
次いで、否修正色を決定する（ステップｓ４１）、否修正色は、否修正色指定部で行われる。さらに、修正色による影響可否の閾値を設定する。閾値は、閾値設定部で設定することができる。また、閾値設定部を修正色指定部や、否修正色指定部に含むものとしてもよい。
【００６８】
その後、修正色と否修正色とが競合しているかを判定する（ステップｓ４３）。修正色と否修正色とが競合していない場合（ステップｓ４３、Ｎｏ）、修正色を補間するグリッドに１００％の修正量を与え（ステップｓ４５）、その後、処理を終了する。
修正色と否修正色とが競合している場合（ステップｓ４３、Ｙｅｓ）、修正色の位置にグリッドを追加し（ステップｓ４４）、影響が閾値を超えているかを判定する（ステップｓ４５）。修正色の位置に追加されたグリッドは、本発明における第１のグリッドに相当する。
【００６９】
影響が閾値を超えていない場合（ステップｓ４５、Ｎｏ）、追加した修正色のグリッドに１００％の修正量を与え（ステップｓ４８）、その後、処理を終了する。
影響が閾値を超えている場合（ステップｓ４５、Ｙｅｓ）、否修正色のグリッドを追加する（ステップｓ４７）。追加された否修正色のグリッドは、本発明における第２グリッドに相当する。次いで、追加した修正色のグリッドに１００％の修正量を与え（ステップｓ４８）、その後、処理を終了する。
【００７０】
すなわち、修正色が否修正色に与える影響を計算し、計算した値が設定した閾値以内であった場合は、グリッドは追加せず、閾値を超えている場合はグリッドを追加する。
【００７１】
次に、画像内の情報から否修正色を決定する手順を図１７のフローチャートに基づいて説明する。以下の手順は、色変換装置の制御により実行することができる。
先ず、修正色を決定する（ステップｓ５０）。修正色の決定は、修正色指定部で行われる。
次いで、画像を確認し、否修正色を決定する（ステップｓ５１）。
【００７２】
さらに、修正色と否修正色とが競合しているかを判定する（ステップｓ５２）。修正色と否修正色とが競合していない場合（ステップｓ５２、Ｎｏ）、修正色を補間するグリッドに１００％の修正量を与え（ステップｓ５３）、その後、処理を終了する。
修正色と否修正色とが競合している場合（ステップｓ５２、Ｙｅｓ）、修正色の位置にグリッドを追加し（ステップｓ５４）、否修正色のグリッドを追加する（ステップｓ５５）。
追加した修正色のグリッドに１００％の修正量を与え（ステップｓ５６）、その後、処理を終了する。
追加された修正色のグリッドは、本発明における第１グリッドに相当し、追加された否修正色のグリッドは、本発明における第２グリッドに相当する。
【００７３】
画像内で変わってしまうとトーンジャンプが発生してしまう色や、画像の印象を壊してしまう色をユーザーが独自に判断し、否修正色として指定するのは手間であり、困難である。そのため、否修正色は、ユーザーが指定しなくても決定することが必要となる。
【００７４】
画像内の色の分布や、面積が大きい色はその画像の印象を決める色である場合が多いため、画像の各画素の値をすべて取得して、分布を確認し、色の分布が多い色は否修正色として抽出することで、値を保持することができる。
【００７５】
また、画像内の近い色の画素が連続する領域を特定し、面積を計算する。面積が大きい領域に使用されている色を否修正色として抽出することで、値を保持することができる。
画像の隣り合う画素の値を比較することで、グラデーションや、値の近い色の密集領域を発見し、該色が修正色の影響範囲に含まれている場合は否修正色として抽出することで、値を保持することができる。
【００７６】
また、一般的に印刷においては、単色(シアンのみなど)に他の色が入ってしまうことを嫌う場合がある。そのため、にごり除去を設定できる。この場合は、単色が修正色の影響範囲であったときは、否修正色として抽出することで、値を保持することができる。
【００７７】
・修正後のプロファイルの使用方法について
プロファイルの修正は、例えばＩＣＣプロファイルの仕様内で実施可能であり、修正後のプロファイルは一般的なＣＭＳ（カラーマネージメントシステム）で処理可能である。
修正色は、追加されたグリッドを用いて色変換され、指定もしくは自動計算された目標値に対して近い出力となる。
【００７８】
以上、本発明について上記実施形態に基づいて説明を行ったが、本発明の範囲は上記説明の内容に限定されるものではなく、本発明の範囲を逸脱しない限りは、上記実施形態に対する適宜の変更が可能である。
【符号の説明】
【００７９】
１  色変換装置
２  色変換装置
３  ネットワーク
１０  操作部
１１  調整画面表示部
１２  修正色指定部
１３  否修正色指定部
２０  プロファイル変更部
２１  競合判定部
２２  調整計算部
２３  否修正色決定部
３０  操作部
３１  調整画面表示部
３２  修正色指定部
３３  否修正色指定部
４０  プロファイル変更部
４１  競合判定部
４２  調整計算部
４３  否修正色決定部
１１００  対象画像表示部
１１１０  修正色情報部
１１１０  修正色情報部
１１２０  否修正色情報部
１１３０  否修正色情報部
１１４０  調整釦
１２００  対象画像表示部
１２１０  修正色情報部
１２１０  修正色情報部
１２２０  見本登録欄
１２３０  否修正色情報部
１３４０  調整釦
【図１】
2020039024.tif 000003
【図２】
2020039024.tif 000004
【図３】
2020039024.tif 000005
【図４】
2020039024.tif 000006
【図５】
2020039024.tif 000007
【図６】
2020039024.tif 000008
【図７】
2020039024.tif 000009
【図８】
2020039024.tif 000010
【図９】
2020039024.tif 000011
【図１０】
2020039024.tif 000012
【図１１】
2020039024.tif 000013
【図１２】
2020039024.tif 000014
【図１３】
2020039024.tif 000015
【図１４】
2020039024.tif 000016
【図１５】
2020039024.tif 000017
【図１６】
2020039024.tif 000018
【図１７】
2020039024.tif 000019